【手続補正書】
【提出日】令和3年9月6日(2021.9.6)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
少なくとも２つの利用可能なアップリンクキャリアから選択されたアップリンクキャリア上でランダムアクセスチャネル（ＲＡＣＨ）送信を送信することと、
前記ＲＡＣＨ送信がその上で送信された前記アップリンクキャリアに基づいて、ダウンリンクキャリア上で送信されるランダムアクセスチャネル応答（ＲＡＲ）を監視するための探索空間を決定すること、前記探索空間を決定することが、
前記ＲＡＣＨ送信がその上で送信された前記アップリンクキャリアに基づいて、制御情報を伝達するために構成された時間および周波数リソースを含む、制御リソースセット（ｃｏｒｅｓｅｔ）を決定することと、
前記ＲＡＣＨ送信がその上で送信された前記アップリンクキャリアに基づいて、前記決定されたｃｏｒｅｓｅｔ内の複数の探索空間から前記探索空間を選択すること、前記選択された探索空間は前記ＲＡＲ送信のためである、と、を備え、
前記ＲＡＣＨ送信がその上で送信された前記アップリンクキャリアに基づいて、ランダムアクセス無線ネットワーク一時識別子（ＲＡ−ＲＮＴＩ）を決定することと、
前記決定されたＲＡ−ＲＮＴＩを使用して前記選択された探索空間中で前記ＲＡＲを監視することと
を備える、方法。
【請求項２】
前記少なくとも２つの利用可能なアップリンクキャリアが、異なるヌメロロジーを有し、
前記ＲＡ−ＲＮＴＩはまた、前記ＲＡＣＨ送信がその上で送信された前記アップリンクキャリアの前記ヌメロロジーに基づいて決定される、
請求項１に記載の方法。
【請求項３】
ネットワークエンティティによるワイヤレス通信のための方法であって、
少なくとも２つの利用可能なアップリンクキャリアからのアップリンクキャリア上でランダムアクセスチャネル（ＲＡＣＨ）送信を受信することと、
前記ＲＡＣＨ送信がその上で送信された前記アップリンクキャリアに基づいて、ダウンリンクキャリア上でランダムアクセスチャネル応答（ＲＡＲ）を送信するために使用すべき探索空間を決定すること、前記探索区間を決定することが、
前記ＲＡＣＨ送信がその上で送信された前記アップリンクキャリアに基づいて、制御情報を伝達するために構成された時間および周波数リソースを含む、制御リソースセット（ｃｏｒｅｓｅｔ）を決定することと、
前記ＲＡＣＨ送信がその上で送信された前記アップリンクキャリアに基づいて、前記決定されたｃｏｒｅｓｅｔ内の複数の探索空間から前記探索空間を選択すること、前記選択された探索空間は前記ＲＡＲ送信のためである、と、を備え、
前記ＲＡＣＨ送信がその上で送信された前記アップリンクキャリアに基づいて、ランダムアクセス無線ネットワーク一時識別子（ＲＡ−ＲＮＴＩ）を決定することと、
前記ＲＡＲを送信するために、前記決定されたＲＡ−ＲＮＴＩを使用して前記選択された探索空間中で前記ＲＡＲを送信することと
を備える、方法。
【請求項４】
前記少なくとも２つの利用可能なアップリンクキャリアが、異なるヌメロロジーを有し、
前記ＲＡ−ＲＮＴＩはまた、前記ＲＡＣＨ送信がその上で送信された前記アップリンクキャリアの前記ヌメロロジーに基づいて決定される、
請求項３に記載の方法。
【請求項５】
ユーザ機器（ＵＥ）によるワイヤレス通信のための装置であって、
少なくとも２つの利用可能なアップリンクキャリアから選択されたアップリンクキャリア上でランダムアクセスチャネル（ＲＡＣＨ）送信を送信するための手段と、
前記ＲＡＣＨ送信がその上で送信された前記アップリンクキャリアに基づいて、ダウンリンクキャリア上で送信されるランダムアクセスチャネル応答（ＲＡＲ）を監視するための探索空間を決定するための手段、探索空間を決定するための手段が、
前記ＲＡＣＨ送信がその上で送信された前記アップリンクキャリアに基づいて、制御情報を伝達するために構成された時間および周波数リソースを含む、制御リソースセット（ｃｏｒｅｓｅｔ）を決定するための手段と、
前記ＲＡＣＨ送信がその上で送信された前記アップリンクキャリアに基づいて、前記決定されたｃｏｒｅｓｅｔ内の複数の探索空間から前記探索空間を選択するための手段、前記選択された探索空間は前記ＲＡＲ送信のためである、と、を備え、
前記ＲＡＣＨ送信がその上で送信された前記アップリンクキャリアに基づいて、ランダムアクセス無線ネットワーク一時識別子（ＲＡ−ＲＮＴＩ）を決定するための手段と、
前記選択された探索空間中で前記ＲＡＲを監視するための手段と、
前記ＲＡＲを監視するために、前記決定されたＲＡ−ＲＮＴＩを使用するための手段と
を備える、装置。
【請求項６】
前記少なくとも２つの利用可能なアップリンクキャリアが、異なるヌメロロジーを有し、
前記ＲＡ−ＲＮＴＩはまた、前記ＲＡＣＨ送信がその上で送信された前記アップリンクキャリアの前記ヌメロロジーに基づいて決定される、
請求項５に記載の装置。
【請求項７】
ネットワークエンティティによるワイヤレス通信のための装置であって、
少なくとも２つの利用可能なアップリンクキャリアからのアップリンクキャリア上でランダムアクセスチャネル（ＲＡＣＨ）送信を受信するための手段と、
前記ＲＡＣＨ送信がその上で送信された前記アップリンクキャリアに基づいて、ダウンリンクキャリア上でランダムアクセスチャネル応答（ＲＡＲ）を送信するために使用すべき探索空間を決定するための手段、前記探索空間を決定するための手段が、
前記ＲＡＣＨ送信がその上で送信された前記アップリンクキャリアのための前記アップリンクキャリアインデックスに基づいて、制御情報を伝達するために構成された時間および周波数リソースを含む、制御リソースセット（ｃｏｒｅｓｅｔ）を決定するための手段と、
前記ＲＡＣＨ送信がその上で送信された前記アップリンクキャリアに基づいて、前記決定されたｃｏｒｅｓｅｔ内の複数の探索空間から前記探索空間を選択するための手段、前記選択された探索空間は前記ＲＡＲ送信のためである、と、を備え、
前記ＲＡＣＨ送信がその上で送信された前記アップリンクキャリアに基づいて、ランダムアクセス無線ネットワーク一時識別子（ＲＡ−ＲＮＴＩ）を決定するための手段と、
前記選択された探索空間中で前記ＲＡＲを送信するための手段と
前記ＲＡＲを送信するために、前記決定されたＲＡ−ＲＮＴＩを使用するための手段と
を備える、装置。
【請求項８】
前記少なくとも２つの利用可能なアップリンクキャリアが、異なるヌメロロジーを有し、
前記ＲＡ−ＲＮＴＩはまた、前記ＲＡＣＨ送信がその上で送信された前記アップリンクキャリアの前記ヌメロロジーに基づいて決定される、
請求項７に記載の装置。
【請求項９】
プログラムが1つまたは複数のプロセッサによって実行されたときに、前記1つまたは複数のプロセッサに請求項１−２、または３−４のいずれかに記載の方法を実行させる命令を備えたコンピュータプログラム。
【手続補正２】
【補正対象書類名】明細書
【補正対象項目名】００９５
【補正方法】変更
【補正の内容】
【００９５】
[0103]特許請求の範囲は、上記で示された厳密な構成および構成要素に限定されないことを理解されたい。上記で説明された方法および装置の構成、動作ならびに詳細において、特許請求の範囲の範囲から逸脱することなく、様々な改変、変更および変形が行われ得る。
以下に本願の出願当初の特許請求の範囲に記載された発明を付記する。
［Ｃ１］
ユーザ機器（ＵＥ）によるワイヤレス通信のための方法であって、
少なくとも２つの利用可能なアップリンクキャリアから選択されたアップリンクキャリア上でランダムアクセスチャネル（ＲＡＣＨ）を送信することと、
前記ＲＡＣＨがその上で送信された前記アップリンクキャリアに基づいて、ダウンリンクキャリア上で送信されるランダムアクセスチャネル応答（ＲＡＲ）を監視するための探索空間を決定することと、
前記決定された探索空間中で前記ＲＡＲを監視することと
を備える、方法。
［Ｃ２］
前記探索空間を決定することは、
前記ＲＡＣＨがその上で送信された前記アップリンクキャリアのためのキャリアインデックスに基づいて、制御情報を伝達するために構成された時間および周波数リソースを含む、制御リソースセット（ｃｏｒｅｓｅｔ）を決定することと、
前記決定されたｃｏｒｅｓｅｔ内から前記探索空間を選択することと
を備える、Ｃ１に記載の方法。
［Ｃ３］
前記探索空間を決定することは、
前記ＲＡＣＨがその上で送信された前記アップリンクキャリアのためのキャリアインデックスに基づいて、制御情報を伝達するために構成された時間および周波数リソースを含む、同じ制御リソースセット（ｃｏｒｅｓｅｔ）内の少なくとも２つの異なる探索空間から探索空間を決定すること
を備える、Ｃ１に記載の方法。
［Ｃ４］
前記探索空間を決定することは、
前記ＲＡＣＨがその上で送信された前記アップリンクキャリアのためのヌメロロジーに基づいて、制御情報を伝達するために構成された時間および周波数リソースを含む、同じ制御リソースセット（ｃｏｒｅｓｅｔ）内の少なくとも２つの異なる探索空間から探索空間を決定すること
を備える、Ｃ１に記載の方法。
［Ｃ５］
前記ＲＡＣＨがその上で送信された前記アップリンクキャリアに基づいてランダムアクセス無線ネットワーク一時識別子（ＲＡ−ＲＮＴＩ）を決定することと、
前記ＲＡＲを監視するために、前記決定されたＲＡ−ＲＮＴＩを使用することと
をさらに備える、Ｃ１に記載の方法。
［Ｃ６］
前記少なくとも２つの利用可能なアップリンクキャリアが、異なるヌメロロジーを有し、
前記ＲＡ−ＲＮＴＩはまた、前記ＲＡＣＨがその上で送信された前記アップリンクキャリアの前記ヌメロロジーに基づいて決定される、
Ｃ５に記載の方法。
［Ｃ７］
ネットワークエンティティによるワイヤレス通信のための方法であって、
少なくとも２つの利用可能なアップリンクキャリアからのアップリンクキャリア上でランダムアクセスチャネル（ＲＡＣＨ）を受信することと、
前記ＲＡＣＨがその上で送信された前記アップリンクキャリアに基づいて、ダウンリンクキャリア上でランダムアクセスチャネル応答（ＲＡＲ）を送信するために使用すべき探索空間を決定することと、
前記決定された探索空間中で前記ＲＡＲを送信することと
を備える、方法。
［Ｃ８］
前記探索空間を決定することは、
前記ＲＡＣＨがその上で送信された前記アップリンクキャリアのためのキャリアインデックスに基づいて、制御情報を伝達するために構成された時間および周波数リソースを含む、制御リソースセット（ｃｏｒｅｓｅｔ）を決定することと、
前記決定されたｃｏｒｅｓｅｔ内から前記探索空間を選択することと
を備える、Ｃ７に記載の方法。
［Ｃ９］
前記探索空間を決定することは、
前記ＲＡＣＨがその上で送信された前記アップリンクキャリアのためのキャリアインデックスに基づいて、制御情報を伝達するために構成された時間および周波数リソースを含む、同じ制御リソースセット（ｃｏｒｅｓｅｔ）内の少なくとも２つの異なる探索空間から探索空間を決定すること
を備える、Ｃ７に記載の方法。
［Ｃ１０］
前記探索空間を決定することは、
前記ＲＡＣＨがその上で送信された前記アップリンクキャリアのためのヌメロロジーに基づいて、制御情報を伝達するために構成された時間および周波数リソースを含む、同じ制御リソースセット（ｃｏｒｅｓｅｔ）内の少なくとも２つの異なる探索空間から探索空間を決定すること
を備える、Ｃ７に記載の方法。
［Ｃ１１］
前記ＲＡＣＨがその上で送信された前記アップリンクキャリアに基づいてランダムアクセス無線ネットワーク一時識別子（ＲＡ−ＲＮＴＩ）を決定することと、
前記ＲＡＲを送信するために、前記決定されたＲＡ−ＲＮＴＩを使用することと
をさらに備える、Ｃ７に記載の方法。
［Ｃ１２］
前記少なくとも２つの利用可能なアップリンクキャリアが、異なるヌメロロジーを有し、
前記ＲＡ−ＲＮＴＩはまた、前記ＲＡＣＨがその上で送信された前記アップリンクキャリアの前記ヌメロロジーに基づいて決定される、
Ｃ１１に記載の方法。
［Ｃ１３］
ユーザ機器（ＵＥ）によるワイヤレス通信のための装置であって、
少なくとも２つの利用可能なアップリンクキャリアから選択されたアップリンクキャリア上でランダムアクセスチャネル（ＲＡＣＨ）を送信するための手段と、
前記ＲＡＣＨがその上で送信された前記アップリンクキャリアに基づいて、ダウンリンクキャリア上で送信されるランダムアクセスチャネル応答（ＲＡＲ）を監視するための探索空間を決定するための手段と、
前記決定された探索空間中で前記ＲＡＲを監視するための手段と
を備える、装置。
［Ｃ１４］
前記探索空間を決定するための前記手段は、
前記ＲＡＣＨがその上で送信された前記アップリンクキャリアのためのキャリアインデックスに基づいて、制御情報を伝達するために構成された時間および周波数リソースを含む、制御リソースセット（ｃｏｒｅｓｅｔ）を決定するための手段と、
前記決定されたｃｏｒｅｓｅｔ内から前記探索空間を選択するための手段と
を備える、Ｃ１３に記載の装置。
［Ｃ１５］
前記探索空間を決定するための前記手段は、
前記ＲＡＣＨがその上で送信された前記アップリンクキャリアのためのキャリアインデックスに基づいて、制御情報を伝達するために構成された時間および周波数リソースを含む、同じ制御リソースセット（ｃｏｒｅｓｅｔ）内の少なくとも２つの異なる探索空間から探索空間を決定するための手段
を備える、Ｃ１３に記載の装置。
［Ｃ１６］
前記探索空間を決定するための前記手段は、
前記ＲＡＣＨがその上で送信された前記アップリンクキャリアのためのヌメロロジーに基づいて、制御情報を伝達するために構成された時間および周波数リソースを含む、同じ制御リソースセット（ｃｏｒｅｓｅｔ）内の少なくとも２つの異なる探索空間から探索空間を決定するための手段
を備える、Ｃ１３に記載の装置。
［Ｃ１７］
前記ＲＡＣＨがその上で送信された前記アップリンクキャリアに基づいてランダムアクセス無線ネットワーク一時識別子（ＲＡ−ＲＮＴＩ）を決定するための手段と、
前記ＲＡＲを監視するために、前記決定されたＲＡ−ＲＮＴＩを使用するための手段とをさらに備える、Ｃ１３に記載の装置。
［Ｃ１８］
前記少なくとも２つの利用可能なアップリンクキャリアが、異なるヌメロロジーを有し、
前記ＲＡ−ＲＮＴＩはまた、前記ＲＡＣＨがその上で送信された前記アップリンクキャリアの前記ヌメロロジーに基づいて決定される、
Ｃ１７に記載の装置。
［Ｃ１９］
ネットワークエンティティによるワイヤレス通信のための装置であって、
少なくとも２つの利用可能なアップリンクキャリアからのアップリンクキャリア上でランダムアクセスチャネル（ＲＡＣＨ）を受信するための手段と、
前記ＲＡＣＨがその上で送信された前記アップリンクキャリアに基づいて、ダウンリンクキャリア上でランダムアクセスチャネル応答（ＲＡＲ）を送信するために使用すべき探索空間を決定するための手段と、
前記決定された探索空間中で前記ＲＡＲを送信するための手段と
を備える、装置。
［Ｃ２０］
前記探索空間を決定するための前記手段は、
前記ＲＡＣＨがその上で送信された前記アップリンクキャリアのためのキャリアインデックスに基づいて、制御情報を伝達するために構成された時間および周波数リソースを含む、制御リソースセット（ｃｏｒｅｓｅｔ）を決定するための手段と、
前記決定されたｃｏｒｅｓｅｔ内から前記探索空間を選択するための手段と
を備える、Ｃ１９に記載の装置。
［Ｃ２１］
前記探索空間を決定するための前記手段は、
前記ＲＡＣＨがその上で送信された前記アップリンクキャリアのためのキャリアインデックスに基づいて、制御情報を伝達するために構成された時間および周波数リソースを含む、同じ制御リソースセット（ｃｏｒｅｓｅｔ）内の少なくとも２つの異なる探索空間から探索空間を決定するための手段
を備える、Ｃ１９に記載の装置。
［Ｃ２２］
前記探索空間を決定するための前記手段は、
前記ＲＡＣＨがその上で送信された前記アップリンクキャリアのためのヌメロロジーに基づいて、制御情報を伝達するために構成された時間および周波数リソースを含む、同じ制御リソースセット（ｃｏｒｅｓｅｔ）内の少なくとも２つの異なる探索空間から探索空間を決定するための手段
を備える、Ｃ１９に記載の装置。
［Ｃ２３］
前記ＲＡＣＨがその上で送信された前記アップリンクキャリアに基づいてランダムアクセス無線ネットワーク一時識別子（ＲＡ−ＲＮＴＩ）を決定するための手段と、
前記ＲＡＲを送信するために、前記決定されたＲＡ−ＲＮＴＩを使用するための手段とをさらに備える、Ｃ１９に記載の装置。
［Ｃ２４］
前記少なくとも２つの利用可能なアップリンクキャリアが、異なるヌメロロジーを有し、
前記ＲＡ−ＲＮＴＩはまた、前記ＲＡＣＨがその上で送信された前記アップリンクキャリアの前記ヌメロロジーに基づいて決定される、
Ｃ２３に記載の装置。
［Ｃ２５］
ユーザ機器（ＵＥ）によるワイヤレス通信のための装置であって、
少なくとも２つの利用可能なアップリンクキャリアから選択されたアップリンクキャリア上でランダムアクセスチャネル（ＲＡＣＨ）を送信するように構成された、送信機と、  前記ＲＡＣＨがその上で送信された前記アップリンクキャリアに基づいて、ダウンリンクキャリア上で送信されるランダムアクセスチャネル応答（ＲＡＲ）を監視するための探索空間を決定するように構成された、少なくとも１つのプロセッサと、
前記決定された探索空間中で前記ＲＡＲを監視するように構成された、受信機と
を備える、装置。
［Ｃ２６］
ネットワークエンティティによるワイヤレス通信のための装置であって、
少なくとも２つの利用可能なアップリンクキャリアからのアップリンクキャリア上でランダムアクセスチャネル（ＲＡＣＨ）を受信するように構成された、受信機と、
前記ＲＡＣＨがその上で送信された前記アップリンクキャリアに基づいて、ダウンリンクキャリア上でランダムアクセスチャネル応答（ＲＡＲ）を送信するために使用すべき探索空間を決定するように構成された、少なくとも１つのプロセッサと、
前記決定された探索空間中で前記ＲＡＲを送信するように構成された、送信機と
を備える、装置。